(57)【要約】【課題】室内スペース等を低減することなく設置し、効率よく臭気を捕集する医療用脱臭装置を提供する。【解決手段】医療用脱臭装置は、吸気口と、ドクターテーブル１２に付着した物質から生じる臭気を除去する触媒エレメントと、吸気口から吸入して触媒エレメントを介した空気を排気口から排出させるファンとを備えた脱臭モジュール１３を、ドクターテーブル１２の近傍に設置した。【選択図】図１
2017225687.tif 000002
【特許請求の範囲】
【請求項１】
吸気口と、
ドクターテーブルに付着した物質から生じる臭気を除去する触媒エレメントと、
前記吸気口から吸入し前記触媒エレメントを介した空気を排気口から排出させるファンと、
を備えた脱臭モジュールを、前記ドクターテーブルの近傍に設置した、
ことを特徴とする医療用脱臭装置。
【請求項２】
前記ドクターテーブルは、キャビネットに収納され、
前記脱臭モジュールを、前記キャビネット内に収納された前記ドクターテーブルの近傍に設置した、
ことを特徴とする請求項１に記載の医療用脱臭装置。
【請求項３】
前記脱臭モジュールは、前記吸気口を前記ドクターテーブルに向け、前記排気口から排出した空気が前記キャビネット内を循環するように配置された、
ことを特徴とする請求項２に記載の医療用脱臭装置。
【請求項４】
前記排気口から排気した空気を、前記キャビネットに収納されたドクターテーブルの下側へ誘導する風向板を前記キャビネット内に設置した、
ことを特徴とする請求項３に記載の医療用脱臭装置。
【請求項５】
前記触媒エレメントは、常温酸化触媒あるいは光触媒を用いている、
ことを特徴とする請求項１から４のいずれか１項に記載の医療用脱臭装置。
【請求項６】
前記ドクターテーブルが前記キャビネットに収納されているか否かを検知する検知手段と、
前記検知手段の出力信号に応じて前記脱臭モジュールの動作を制御する制御手段と、
を備え、
前記制御手段は、
前記検知手段が、前記キャビネットに前記ドクターテーブルが収納されたことを検知したとき前記脱臭モジュールの脱臭動作を始動させ、前記キャビネットから前記ドクターテーブルが離れたことを検知したとき前記脱臭モジュールの脱臭動作を停止させる、
ことを特徴とする請求項２から５のいずれか１項に記載の医療用脱臭装置。
【発明の詳細な説明】
【技術分野】
【０００１】
本発明は、例えば歯科医院等に備えられる歯科治療用のユニットに生じる臭気を除去する医療用脱臭装置に関するものである。
【背景技術】
【０００２】
歯科医院等で患者（被施術者）に医療行為を行うときには、例えば、歯科用ユニット（歯科治療システム）が使用されている。
歯科医院の施術室等に備えられる歯科治療システムは、被施術者を着席させる歯科治療椅子、画像を表示するモニターなどに関する動作設定、操作などを行う各スイッチを備えて上記の歯科治療椅子に着座させた被施術者の治療に使用する器具などを載置するドクターテーブル、被施術者がうがい等を行うボールやオペレーティングライトなどを有するアシスタントユニットなど、歯科治療用の各ユニットを備えて構成されている（例えば、特許文献１参照）。
【０００３】
図１０は、従来の脱臭装置を備えた歯科治療システムの概略構成例を示す説明図である。
図示した歯科治療システム１００は、被施術者を着座させる歯科治療椅子１０１、施術者が使用する器具などを収納するドクターユニット１０２、被施術者が歯科治療椅子１０１に着座した状態でうがいや口内の洗浄を行うように構成されたアシスタントユニット１０３、治療を行う室内の臭気を除去する脱臭装置１０６などを備えている。
ドクターユニット１０２は、例えば患部画像を表示する画像表示装置を備えると共に、治療等の施術用器具などを収納するキャビネット１０４によって構成されている。
キャビネット１０４には、上記の治療施術等に使用するドクターテーブル１０５が収納されており、当該キャビネット１０４内から、歯科治療椅子１０１に着座した被施術者の近傍へ、ドクターテーブル１０５を容易に移動することができるように構成されている。
【０００４】
脱臭装置１０６は、ドクターユニット１０２およびアシスタントユニット１０３が設置された室内の適当な位置に設置されるもので、歯科治療椅子１０１に着座した被施術者、ならびに治療等の施術を行う施術者の立ち位置や通路を狭めないように、例えば上記室内の隅端に設置されている。
このような位置に脱臭装置１０６を設置した場合、臭気を放つことの多いドクターテーブル１０５から相当の距離が空くため、特に、キャビネット１０４にドクターテーブル１０５が収納されているときには、脱臭装置１０６は、例えば、図中矢印Ａで示した経路でドクターテーブル１０５から生じた臭気を吸引することになる。
【先行技術文献】
【特許文献】
【０００５】
【特許文献１】特開２０１４−１７１５８４号公報
【発明の概要】
【発明が解決しようとする課題】
【０００６】
歯科医院等においては、施術者、被施術者等の歩行や作業の障害物となることを避けるため、上記のように室内の隅端に脱臭装置等を設置する場合が一般的である。このように脱臭装置を設置すると、臭気を生じるものから遠く離間されることになり、効率よく臭気を捕集することが難しくなる。
また、歯科医院等の診察室、あるいは施術室等に生じる臭気は、例えばイソプロピルアルコールなどの揮発性有機化合物が主な成分である。一般的な脱臭装置や空気清浄機には、繊維素材を用いたろ過型のＨＥＰＡフィルターなどが使用されており、上記のような有機化合物を有効に捕集するためには大型の脱臭装置等を用いる必要がある。このような大型の脱臭装置等を備えると、施術室等における通路などが狭くなるという問題点があった。
【０００７】
本発明は前記した課題を解決せんとするもので、その目的とするところは、室内スペース等を低減することなく設置し、効率よく臭気を捕集する医療用脱臭装置を提供する。
【課題を解決するための手段】
【０００８】
本発明の医療用脱臭装置は、前記した目的を達成せんとするもので、請求項１の手段は、吸気口と、ドクターテーブルに付着した物質から生じる臭気を除去する触媒エレメントと、吸気口から吸入し触媒エレメントを介した空気を排気口から排出させるファンとを備えた脱臭モジュールを、ドクターテーブルの近傍に設置したことを特徴とする。
【０００９】
請求項２の手段は、前記した請求項１において、ドクターテーブルは、キャビネットに収納され、脱臭モジュールを、キャビネット内に収納されたドクターテーブルの近傍に設置したことを特徴とする。
【００１０】
請求項３の手段は、前記した請求項２において、脱臭モジュールは、吸気口をドクターテーブルに向け、排気口から排出した空気がキャビネット内を循環するように配置されたことを特徴とする。
【００１１】
請求項４の手段は、前記した請求項３において、排気口から排気した空気を、キャビネットに収納されたドクターテーブルの下側へ誘導する風向板をキャビネット内に設置したことを特徴とする。
【００１２】
請求項５の手段は、前記した請求項１から４のいずれか１項において、触媒エレメントは、常温酸化触媒あるいは光触媒を用いていることを特徴とする。
【００１３】
請求項６の手段は、前記した請求項２から５のいずれか１項において、ドクターテーブルがキャビネットに収納されているか否かを検知する検知手段と、検知手段の出力信号に応じて脱臭モジュールの動作を制御する制御手段とを備え、制御手段は、検知手段が、キャビネットにドクターテーブルが収納されたことを検知したとき脱臭モジュールの脱臭動作を始動させ、キャビネットからドクターテーブルが離れたことを検知したとき脱臭モジュールの脱臭動作を停止させることを特徴とする。
【発明の効果】
【００１４】
本発明は前記したように、吸気口をドクターテーブルの近傍に配置したので、ドクターテーブルの周囲に生じる臭気を効率よく捕集することができる。
【図面の簡単な説明】
【００１５】
【図１】この発明の実施例１による医療用脱臭装置の概略構成を示す斜視図である。
【図２】図１の医療用脱臭装置を下方より斜視した場合の概略構成を示す斜視図である。
【図３】図１の脱臭装置を構成する脱臭ユニットの概観を示す斜視図である。
【図４】図３の脱臭ユニットの概略構成を示す分解斜視図である。
【図５】キャビネットに設けた検知スイッチを示す説明図である。
【図６】歯科用ユニットに備えられた制御手段の概略構成を示す説明図である。
【図７】脱臭装置を動作させたときのキャビネット内の通気を示す説明図である。
【図８】この発明の実施例２による医療用脱臭装置の概略構成を示す説明図である。
【図９】各脱臭装置による脱臭作用を示す説明図である。
【図１０】従来の脱臭装置を備えた歯科治療システムの概略構成例を示す説明図である。
【発明を実施するための形態】
【００１６】
以下、この発明の実施の一形態を説明する。
【実施例１】
【００１７】
図１は、この発明の実施例１による医療用脱臭装置の概略構成を示す斜視図である。また、図２は、図１の医療用脱臭装置を下方から斜視した場合の概略構成を示す斜視図である。
図１および図２に示した歯科用ユニット１０は、歯科医院に備えられる歯科治療システムを構成するユニットであり、例えば、医者もしくは施術者が使用する器具などを載置、収納するドクターユニットなどに相当する。
歯科用ユニット１０は、例えば、図中右側にキャビネット部１１を備え、キャビネット部１１の左側に複数段の収納棚部１８を備えて構成されている。キャビネット部１１と収納棚部１８との間には仕切り板１８ａが設置されている。なお、この仕切り板１８ａはキャビネット部１１の内壁面の一部となる。
【００１８】
また、歯科用ユニット１０は、収納棚部１８の上側、即ち、歯科用ユニット１０の天板１７（上端面）に、患者もしくは被施術者の患部などの画像を表示させる表示部１４を備えている。
キャビネット部１１の内部には、脱臭モジュール１３が設置固定されている。脱臭モジュール１３は、天板１７の下側面（内側面）に固定されており、キャビネット部１１内に収納されたドクターテーブル１２の近傍となるように、また、仕切り板１８ａに近付けて設置されている。
また、キャビネット部１１の内部には、ドクターテーブル１２を支持するテーブル支持部１５が設置されており、当該テーブル支持部１５は自身が支持するドクターテーブル１２を所定範囲内で移動させることが可能に構成され、キャビネット部１１の内側はドクターテーブル１２等を収納可能な奥行きを備えて構成されている。
ドクターテーブル１２は、上面に治療用器具などを載置できるテーブルが形成されており、また、前述の表示部１４に表示させる画像の操作などを行うスイッチなどを備えて構成されている。
このドクターテーブル１２は、前述のテーブル支持部１５によって下方から支持され、当該テーブル支持部１５が動作することにより、キャビネット部１１の外部へ移動し、また、外部からキャビネット部１１内に収納するように設置されている。
【００１９】
テーブル支持部１５は、アーム状に形成された部材を備えて構成されており、当該アーム部材の上端部がドクターテーブル１２の下端面等に接続固定されている。なお、テーブル支持部１５とドクターテーブル１２との接続部分は、テーブル支持部１５の動作に伴って、ドクターテーブル１２を水平に維持しながら、当該ドクターテーブル１２に備えられたスイッチ等を所望の方向へ向けるように、回動可能に構成されている。
即ち、テーブル支持部１５は、例えば、回動可能に構成された接続機構部によって複数のアーム部材を接続して構成されている。
【００２０】
テーブル支持部１５の下端は、キャビネット部１１の下側に設置された下端部１６に接続構成されている。下端部１６は、例えば、図示されない内部に、テーブル支持部１５の下端を回動可能に支持する機構部や、ドクターテーブル１２に備えられた各スイッチなどに接続している配線部材などが設置されている。
なお、テーブル支持部１５の下端に複数方向に延設された脚部を備え、これら脚部にキャスターを装着して、ドクターテーブル１２を移動可能に構成してもよい。
【００２１】
図３は、図１の脱臭モジュール１３を構成する脱臭ユニット１３ａの概観を示す斜視図である。この図は、脱臭モジュール１３として動作する脱臭ユニット１３ａの斜視図であり、図１および図２に示した脱臭モジュール１３は、固定部材等を用いて例えば２台の脱臭ユニット１３ａを並べて、キャビネット部１１内の天板１７に固定したものである。
脱臭ユニット１３ａは、脱臭ユニット本体３１の一端に吸気口３２を備え、脱臭ユニット本体３１の他端に排気口３３を備えており、例えば、吸気口３２と排気口３３とを同軸上に配置して、脱臭ユニット本体３１の内部を直線的に通気するように構成されている。
【００２２】
図４は、図３の脱臭ユニット１３ａの概略構成を示す分解斜視図である。脱臭ユニット１３ａは、底板部分となるシャーシ４２と、当該シャーシ４２を上方から覆うエンクロージャー４１によって脱臭ユニット本体３１が構成されている。
シャーシ４２の例えばフロントパネルには、吸気口パネル４３ａと吸気口パネル４３ｂが重ねて取り付け固定され、前述の吸気口３２が設けられている。
また、シャーシ４２のリアパネルには、排気口パネル４５が取り付け固定され、前述の排気口３３が設けられている。また、排気口パネル４５の内側にはブロアファン４４が固定されている。
【００２３】
シャーシ４２の内部には、触媒エレメント４７が例えばエレメント支持部材４６によって固定されている。この触媒エレメント４７は、吸気口３２から排気口３３へ流れる送風が当たるように設置固定されている。なお、複数個の触媒エレメント４７をシャーシ４２に固定し、脱臭ユニット本体３１内部の吸気口３２から排気口３３までの送風経路上に、多重に設置してもよい。
触媒エレメント４７は、例えば、イソプロピルアルコール等の有機化合物など、ドクターテーブル１２に付着して臭気を発生させる物質に対して、消臭作用、もしくは脱臭作用を有する常温酸化触媒あるいは光触媒を用いて構成されたパッケージである。なお、脱臭ユニット１３ａは、触媒エレメント４７に使用された触媒の種類に応じて、例えば光触媒に照射する所定光の光源など、図示されない当該触媒を活性化させる装置等を備えている。
【００２４】
図３および図４に示した脱臭ユニット１３ａは、脱臭ユニット本体３１の背後、即ち吸気口３２の背後に配置された排気口３３から脱臭した空気を排出するように構成されているが、排気口３３を脱臭ユニット本体３１の下側に設置し、触媒エレメント４７を通過させた空気をシャーシ４２の下方へ排気するように構成してもよい。
なお、図２等に示した脱臭モジュール１３は、排気口３３からの排気を仕切り板１８ａの表面に当て、この排気流がキャビネット部１１の下方へ逃げるように、２台の脱臭ユニット１３ａを天板１７に固定する固定部材に、下方に開口した開口部を設けている。
【００２５】
図５は、キャビネット部１１に設けた検知スイッチ５０を示す説明図である。この図は、図１等に示したキャビネット部１１、およびキャビネット部１１に収納されているドクターテーブル１５の一部分を表している。
キャビネット部１１の背面壁部２０には、図５に示した例えば接点スイッチからなる検知スイッチ５０が設置されている。詳しくは、テーブル支持部１５を回動させてキャビネット部１１内にドクターテーブル１２を収納したとき、当該ドクターテーブル１２の例えば縁端部と接触して開閉接点が閉じる検知スイッチ５０を、キャビネット部１１の背面壁部２０表面の適当な位置に設置している。
【００２６】
図６は、歯科用ユニット１０に備えられた制御手段の概略構成を示す説明図である。歯科ユニット１０は、各部の動作を制御するための制御ユニット５１、外部から電源電力を入力し、制御ユニット５１や脱臭モジュール１３などに所定電圧を生成供給する電源ユニット５２などを、例えば、収納棚部１８の背後側や基端部１６の内部に、適当なカバー部材等を用いて外部に露出しない状態で設置されている。
制御ユニット５１は、例えば、各センサ、設定スイッチなどから取得した信号や、予め記憶設定されているデータ等に基づいて各制御信号などを生成するプロセッサ、各設定データや制御プログラムなどを記憶するメモリなどを備えている。また、必要に応じて、プロセッサの演算結果等を表す信号を、制御対象の装置やユニット等に適するレートやレベルなどに変換して、外部へ出力する出力デバイスなどを備えている。
【００２７】
図５に示した検知スイッチ５０は、前述のように開閉接点を備えたスイッチ等によって構成されており、上記の開閉接点が閉じたとき、所定の検知信号を制御ユニット５１へ出力するように配線接続されている。
制御ユニット５１は、電源ユニット５２の動作制御を行うように配線接続されており、当該電源ユニット５１の出力動作を制御することにより、脱臭モジュール１３の始動ならびに停止を制御する。なお、制御ユニット５１を直接脱臭モジュール１３に配線接続し、当該脱臭モジュール１３の動作制御を行うように構成してもよい。
【００２８】
次に動作について説明する。
図７は、脱臭モジュール１３を動作させたときのキャビネット部１１内の通気を示す説明図である。脱臭モジュール１３は、キャビネット部１１に収納された状態のドクターテーブル１２の上面あるいは上端部分の近傍となる天板１７の位置に設置されている。天板１７に固定された脱臭モジュール１３は、吸気口３２を上記のドクターテーブル１２に向けており、排気口３３をキャビネット部１１の仕切り板１８ａ（内壁面）に向けている。図７の脱臭モジュール１３は、前述の図２に例示したものと同様に、脱臭ユニット１３ａを天板１７に固定する固定部材が、仕切り板１８ａの表面近傍においてキャビネット部１１の下方へ向かって開口している。
【００２９】
ドクターテーブル１２が、キャビネット部１１に収納され、図５に示した検知スイッチ５０から有意を示すレベルの信号が出力されると、制御ユニット５１は電源ユニット５２を制御して脱臭モジュール１３へ電源電力を供給させる。なお、検知スイッチ５０からの出力信号が有意レベルではないとき、例えば、キャビネット部１１内からドクターテーブル１２が引き出されたときには、制御ユニット５１は脱臭モジュール１３の動作を停止する制御を行う。
また、キャビネット部１１からドクターテーブル１２が外部へ引き出されたときには、検知スイッチ５０の開閉接点が閉状態から開状態に遷移し、検知スイッチ５０の出力信号が有意を示すレベルから変化し、例えばゼロレベルとなる。
そこで、上記のように検知スイッチ５０の出力信号が有意からゼロレベルへ遷移したとき、制御ユニット５１は、当該レベル遷移から所定時間が経過する間、脱臭モジュール１３を動作させ、当該所定時間経過後に脱臭モジュール１３の動作を停止するように制御してもよい。
【００３０】
脱臭モジュール１３に電源電力が供給されると、例えば触媒エレメント４７を活性化させる機構部等が動作し、また、ブロアファン４４が回転して吸気口３２から、ドクターテーブル１２上面近傍の空気を吸入する。
吸気口３２から吸入された空気は、前述の触媒エレメント４７を介して排気口３３から排出され、仕切り板１８ａの表面に沿って移動する気流となり、キャビネット部１１の下方へ流れる。
この気流は、さらに下端部１６などに沿って向きを変えてドクターテーブル１２の下側を移動し、側端部１９の内壁面に沿って上昇し、キャビネット部１１内において、図７に示した矢印Ｂのようにドクターテーブル１２の周囲を循環する。
【００３１】
上記のように気流が循環することにより、ドクターテーブル１２に付着した前述の有機化合物などから生じた臭気が順次脱臭モジュール１３に吸入されて、触媒エレメント４７の触媒反応によって脱臭が行われる。脱臭された空気は、前述のように排気口３３から排出されて仕切り板１８ａに沿って移動し、また、ドクターテーブル１２の下側を流れ、キャビネット部１１内壁などに沿ってドクターテーブル１２の周辺を循環する。このように循環する気流が生じることによって、ドクターテーブル１２において発生する、例えばイソプロピルアルコールを主な成分とする臭気の脱臭が順次行われる。
キャビネット部１１の開口部、即ち、図７等における背面壁部２０の手前側に、キャビネット部１１の内部と外部を仕切るエアカーテンを発生させる機構部、もしくは装置を備えてもよい。このようにキャビネット部１１にエアカーテン等を設けると、臭気がキャビネット部１１の外部へ拡散することを抑制することができ、また、脱臭モジュール１３による気流の循環がより明確に発生し、ドクターテーブル１２から生じる臭気を効率よく捕集することが可能になる。
【００３２】
なお、ここで説明した脱臭モジュール１３は、排気口３３から排出した空気がキャビネット部１１内において循環するように設置されているが、排気口３３からの排気をキャビネット部１１の外部に行うように設置してもよく、例えば、キャビネット部１１のいずれかの壁部分に外部へ通じる通気口を設け、この通気口に排気口３３が接続されるように設置構成してもよい。
【実施例２】
【００３３】
図８は、この発明の実施例２による医療用脱臭装置の概略構成を示す説明図である。実施例１で説明したものと同一、あるいは相当する部分に同じ符号を用いて説明する。また、実施例１で説明したものと同様に構成された部分の重複説明を省略する。
図８の歯科用ユニット１０ａは、キャビネット部１１内部の仕切り板１８ａに風向板２１を備えている。実施例２の脱臭装置は、上記の風向板２１を備えた以外は、実施例１で説明したものと同様に構成されている。
【００３４】
図８に例示したキャビネット部１１は、当該キャビネット部１１内側の上端面、即ち天板１７に固定された脱臭モジュール１３の排気口の下方において、仕切り板１８ａの表面に風向板２１が固定されている。この風向板２１は、排気口３３から仕切り板１８ａに沿って流れてきた気流を、キャビネット部１１に収納されているドクターテーブル１２の下端部分を通過するように流れ方向を変化させる（誘導する）位置に設置されている。なお、風向板２１は、キャビネット部１１内から外部にドクターテーブル１２を移動するとき、また、外部からキャビネット部１１内にドクターテーブル１２を収納するときに接触しない位置に設置され、また、収納や外部への移動時に障害とならない大きさ、ならびに形状に形成されている。
【００３５】
上記のように風向板２１を設置することにより、脱臭モジュール１３が動作すると、キャビネット部１１内において図８に示した矢印Ｃのように気流が生じ、脱臭モジュール１３の排気口３３からの排気が仕切り板１８ａ（内壁面）に沿って下降し、風向板２１に当たって気流の向きを変え、ドクターテーブル１２の下端部もしくはその近傍を流れる。この気流は、側端部１９の内壁面に沿って上昇し、ドクターテーブル１２の上端部もしくはテーブル面近傍を移動し、再び脱臭モジュール１３の吸気口３２から吸入される。
即ち、排気口３３から排気された空気は、風向板２１に当たることにより、キャビネット部１１の下端まで下降することなく向きを変えてドクターテーブル１２に向かい、当該ドクターテーブル１２の下端近傍を流れる。そのため、ドクターテーブル１２の周囲においては滞留することなく気流が生じ、ドクターテーブル１２に付着した物質等から順次拡散（揮発）する臭気を、効率よく脱臭モジュール１３内部に捕集することが可能になる。
【００３６】
図９は、各脱臭装置による脱臭作用を示す説明図である。この図は、例えば、繊維素材などのろ過型エアフィルタを備える車載用空気清浄機−Ａおよび車載用空気清浄機−Ｂ、化学薬剤等を用いる脱臭モジュール、常温酸化触媒を用いる脱臭モジュールにより、イソプロピルアルコールの臭気を捕集したときの脱臭作用（臭気強度の経時変化）をグラフ表示したものである。
図示したグラフは、縦軸が所定空間における臭気の強度変化、横軸が脱臭開始からの経過時間を示しており、図中下方へ行くほど臭気が弱い（捕集されている）ことを示している。
【００３７】
図中、実線で示した臭気曲線は、常温酸化触媒を用いた脱臭モジュールの捕集特性を示しており、他の空気清浄機や脱臭モジュールの各臭気曲線と比べて、動作開始から最も速やかに臭気強度が減少（弱小化）している。また、常温酸化触媒を用いた脱臭モジュールは、時間経過に伴ってイソプロピルアルコールの臭気強度を最も弱める（捕集する）ことが分かる。
実施例１および実施例２の医療用脱臭装置に用いた脱臭モジュール１３は、前述のように常温酸化触媒などを用いた触媒エレメント４７を装備している。
脱臭モジュール１３は、触媒エレメント４７を用いていることから、図９に示したように、エアフィルタを用いた空気清浄機や、薬剤を用いた脱臭モジュールと比べて、各段にイソプロピルアルコール等の臭気を捕集する性能が高く、十分な脱臭性能を備えて小型化を図ることが可能なものである。また、小型化を図ることによって、キャビネット部１１の内部などの狭い空間に設置することができ、キャビネット部１１に収納されたドクターテーブル１２に接近させて設置することも可能にしている。
【００３８】
なお、図９のグラフにおいては、常温酸化触媒を用いた脱臭モジュールを例示したが、例えば、光触媒を用いた脱臭モジュールについても、上記のろ過型エアフィルタを備える空気洗浄機や、化学薬剤等を用いた脱臭モジュールと比べて、十分に高いイソプロピルアルコール等の脱臭作用を備えている。
前述の各実施例の脱臭モジュール１３において、触媒エレメント４７として光触媒を用いた場合でも、常温酸化触媒を用いた場合と同様な高い脱臭効果が得られ、また、小型化を図ることも同様に可能である。
【符号の説明】
【００３９】
１０，１０ａ歯科用ユニット
１１キャビネット部
１２ドクターテーブル
１３脱臭モジュール
１３ａ脱臭ユニット
１４表示部
１５テーブル支持部
１６基端部
１７天板
１８収納棚部
１８ａ仕切り板
１９側端部
２０背面壁部
２１風向板
３１脱臭ユニット本体
３２吸気口
３３排気口
４１エンクロージャー
４２シャーシ
４３ａ，４３ｂ吸気口パネル
４４ブロアファン
４５排気口パネル
４６エレメント支持部材
４７触媒エレメント
５０検知スイッチ
５１制御ユニット
５２電源ユニット
１００歯科治療システム
１０１歯科治療椅子
１０２ドクターユニット
１０３アシスタントユニット
１０４キャビネット
１０５ドクターテーブル
１０６脱臭装置
【図１】
2017225687.tif 000003
【図２】
2017225687.tif 000004
【図３】
2017225687.tif 000005
【図４】
2017225687.tif 000006
【図５】
2017225687.tif 000007
【図６】
2017225687.tif 000008
【図７】
2017225687.tif 000009
【図８】
2017225687.tif 000010
【図９】
2017225687.tif 000011
【図１０】
2017225687.tif 000012